(57)【特許請求の範囲】
【請求項１】
浮き流し方式または支柱方式によって海面に展張されている海苔網に対して活性処理を施す海苔網活性処理装置であって、
船上に配置された活性処理液槽と、船上に持ち上げられて船首側から後方に向けて搬送される前記海苔網を上から押えて前記活性処理液槽内の活性処理液中に浸漬させる海苔網上方押え部材とを有し、
当該海苔網上方押え部材は、前記活性処理液槽内に船の前後方向の移動を防止されるとともに上下方向の移動は可能として独立的に設置されており、前記海苔網の長手方向端部の先端部側においては、前記船首部から後方に向けて持ち上げられて搬送される前記海苔網の先端縁部を当該先端縁部と海苔網を展張する部材とで形成される口部を通して乗り越えて海苔網の上面に乗上げ、前記海苔網の前記先端縁部より後方側においては、前記海苔網を上面側から押えて前記活性処理液槽内の活性処理液中に浸漬させ、前記海苔網の後端部側においては、船の後方に向けて搬送される前記海苔網の後端縁部を当該後端縁部と海苔網を展張する部材とで形成される口部を通して越えて海苔網外へ出るように形成されている
ことを特徴とする海苔網活性処理装置。
【請求項２】
前記海苔網は、２本の端部綱の間に海苔網の長手方向の両端部を対向させて配置され、当該海苔網の両端部の縁綱の両端部角隅部をそれぞれ手綱をもって前記端部綱に接続して海面に展張されており、
前記海苔網上方押え部材は、前記海苔網の先端部側においては、前記船首部から後方に向けて順に持ち上げられて搬送される前記端部綱、２本の手綱および海苔網の先端部の縁綱からなる先端部側入口を通過して海苔網の上面に乗上げ、前記海苔網の後端部側においては、前記船首部から後方に向けて順に持ち上げられて搬送される前記海苔網の後端部の縁綱、２本の手綱および端部綱からなる後端部側出口を通過して海苔網外へ出るように形成されている
ことを特徴とする請求項１に記載の海苔網活性処理装置。
【請求項３】
前記海苔網上方押え部材は、前記海苔網の先端部側において、前記船首部から後方に向けて順に持ち上げられて搬送される前記端部綱、２本の手綱および自重若しくは錘体の重量によって前記端部綱より下方に位置している海苔網の先端部の縁綱によって形成される前記先端部側入口を通過して海苔網の上面に乗上げられることを特徴とする請求項２に記載の海苔網活性処理装置。
【請求項４】
前記海苔網は、浮き流し方式によって海面に展張されており、前記端部綱は枠綱からなることを特徴とする請求項２または請求項３に記載の海苔網活性処理装置。
【請求項５】
前記海苔網は、支柱方式によって海面に展張されており、前記端部綱は浮子綱からなることを特徴とする請求項２または請求項３に記載の海苔網活性処理装置。
【請求項６】
前記海苔網は、下方に垂設された２本の脚部と、これら脚部を連結する長辺とからなるコ字形状の剛体状の枠体であって前記長辺を並列するように配置されている複数の枠体と、前記各脚部の端部に枠体の並列方向両側に配設されて前記枠体を起立させる浮子と、前記各長辺に挿通され、前記各枠体を回動自在に支持する回動部材と、前記各回動部材に連結され、前記各枠体を連結する連結手段と、前記長辺の少なくとも一端側の脚部に配設されている各浮子の枠体の並列方向における一端側にそれぞれ連結されて前記各枠体を連結する転倒用連結手段とを有する干出装置の、前記各枠体間に吊り綱をもって吊り下げることにより張設されているとともに、前記各枠体部分においては各枠体、吊り綱および海苔網とによって前記海苔網上方押え部材が通過できる口部が形成されていることを特徴とする請求項１に記載の海苔網活性処理装置。
【発明の詳細な説明】
【技術分野】
【０００１】
本発明は、海苔養殖場において海面部分に展張されている海苔網やこれに繁殖している海苔を洗浄したり、これらの海苔網や海苔に対して効果的な海苔の活性処理を施す海苔網活性処理装置に関する。
【背景技術】
【０００２】
一般に、海苔養殖は海苔網に浮子を取付けて海面に浮かすように展張して錨で止める浮き流し方式や海中に立設した支柱に海苔網を展張した支柱方式によって行なわれている。
【０００３】
この海苔養殖においては、海中に展張されている海苔網に珪藻類が付着して海苔網が汚れてしまい、海苔の成長が阻害されたり、病気に罹りやすくなり、育苗効率が低下するという不都合があった。そこで、健康な海苔を育成し、収穫率を向上させるために海苔網に対して活性処理を施している。
【０００４】
本出願人は、特許第３１９３６５５号公報（特許文献１）により、このような海苔養殖において、動力推進機構を有する船を海面部分に展張されている海苔網の下面をくぐるように進行させて、前記海苔網を船体の船首部から後部へ相対移動させながら海苔網に対して活性処理を施し、更に後部案内部材をもってこの活性処理に有効な時間だけ前記海苔網を浮上させた後に海面の前記展張位置へ戻して再び展張させるようにするとともに、海苔網および海苔養殖施設を構成する綱類をスムースに通過させつつ前記綱類より上方位置に所望の部材を支持することができるとともに、構成が簡単であり、軽量で、コストも低廉な海苔養殖施設を構成する綱類通過装置を提案し、また、前記海苔養殖施設を構成する綱類通過装置を利用して海苔網浸漬体を処理液槽に対して常に所定位置関係に保持し、海苔網および前記綱類をスムーズに通過させることができ、海苔網を確実に処理液槽中の処理液中に浸漬通過させることができ、適正な処理を施すことのできる海苔網処理装置を提案し、また前記海苔養殖施設を構成する綱類通過装置を利用して活性処理や海苔の刈取りを施すことのできる海苔作業船を提案している。
【０００５】
【特許文献１】特許第３１９３６５５号公報
【発明の開示】
【発明が解決しようとする課題】
【０００６】
海苔網を船上に配置された活性処理液槽中の活性処理液内に浸漬させて活性処理を施すためには、特許文献１に示すように、海苔網を上から押さえ込んで活性処理液内に浸漬させる必要があり、装置の一層の簡略化が望まれていた。
【０００７】
本発明はこれらの点に鑑みてなされたものであり、海苔網を上から押えて活性処理液槽内の活性処理液中に浸漬させる海苔網上方押え部材を単独で活性処理液槽内に保持させることができるとともに、当該海苔網上方押え部材が船の進行に伴って後方に搬送される海苔網の先端部において下側から上面に乗り上げて海苔網を活性処理液内に浸漬させ、海苔網の後端部において海苔網の上面から下側に抜けて海苔網を通過させることができ、海苔の活性処理を確実に施すことができ、海苔の健康的な育成を図ることができ、コストも低廉である海苔網活性処理装置を提供することを目的とする。
【課題を解決するための手段】
【０００８】
前述した目的を達成するため、本発明の海苔網活性処理装置は、浮き流し方式または支柱方式によって海面に展張されている海苔網に対して活性処理を施す海苔網活性処理装置であって、船上に配置された活性処理液槽と、船上に持ち上げられて船首側から後方に向けて搬送される前記海苔網を上から押えて前記活性処理液槽内の活性処理液中に浸漬させる海苔網上方押え部材とを有し、当該海苔網上方押え部材は、前記活性処理液槽内に船の前後方向の移動を防止されるとともに上下方向の移動は可能として独立的に設置されており、前記海苔網の長手方向端部の先端部側においては、前記船首部から後方に向けて持ち上げられて搬送される前記海苔網の先端縁部を当該先端縁部と海苔網を展張する部材とで形成される口部を通して乗り越えて海苔網の上面に乗上げ、前記海苔網の前記先端縁部より後方側においては、前記海苔網を上面側から押えて前記活性処理液槽内の活性処理液中に浸漬させ、前記海苔網の後端部側においては、船の後方に向けて搬送される前記海苔網の後端縁部を当該後端縁部と海苔網を展張する部材とで形成される口部を通して越えて海苔網外へ出るように形成されていることを特徴とする。
【０００９】
本発明によれば、活性処理液槽内に独立的に設置されている海苔網上方押え部材が、船上に持ち上げられて船首側から後方に向けて搬送される海苔網の先端縁部を乗り越えて海苔網の上面に乗上げ、船の後方に向けて搬送される海苔網を活性処理液内に浸漬させた後に、海苔網の後端縁部を越えて海苔網外へ出ることができるので、海苔網上方押え部材を単独で活性処理液槽内に保持させることができるとともに、海苔の活性処理を確実に施すことができ、海苔の健康的な育成を図ることができ、コストも低廉なものとなる。
【００１０】
また、本発明の海苔網活性処理装置においては、前記海苔網が２本の端部綱の間に海苔網の長手方向の両端部を対向させて配置され、当該海苔網の両端部の縁綱の両端部角隅部をそれぞれ手綱をもって前記端部綱に接続して海面に展張されており、前記海苔網上方押え部材は、前記海苔網の先端部側においては、前記船首部から後方に向けて順に持ち上げられて搬送される前記端部綱、２本の手綱および海苔網の先端部の縁綱からなる先端部側入口を通過して海苔網の上面に乗上げ、前記海苔網の後端部側においては、前記船首部から後方に向けて順に持ち上げられて搬送される前記海苔網の後端部の縁綱、２本の手綱および端部綱からなる後端部側出口を通過して海苔網外へ出るように形成されていることを特徴とする。
【００１１】
本発明によれば、活性処理液槽内に独立的に設置されている海苔網上方押え部材が、海苔網の展張構造に応じて形成される先端部側入口を通過して海苔網の上面に乗上げ、海苔網を活性処理液内に浸漬させた後に、後端部側出口より海苔網外へ出ることができるので、端部綱に手綱をもって接続されている海苔網に対しても海苔網上方押え部材によって確実に上から押えて活性処理液槽内の活性処理液中に浸漬させることができ、これにより海苔の活性処理を確実に施すことができ、海苔の健康的な育成を図ることができ、コストも低廉なものとなる。
【００１２】
また、本発明の海苔網活性処理装置は、前記海苔網上方押え部材が、前記海苔網の先端部側において、前記船首部から後方に向けて順に持ち上げられて搬送される前記枠綱、２本の手綱および自重若しくは錘体の重量によって前記枠綱より下方に位置している海苔網の先端部の縁綱によって形成される前記先端部側入口より海苔網の上面に乗上げられることを特徴とする。
【００１３】
本発明によれば、海苔網の先端部の縁綱が自重若しくは錘体の重量によって枠綱より下方に位置していることにより、先端部側入口が鉛直方向に開口するように形成され、その先端部側入口から海苔網上方押え部材が確実に海苔網の上面側に乗り上げることができ、海苔網が海苔網上方押え部材によって確実に活性処理液槽内の活性処理液中に浸漬させされ、海苔の活性処理が確実に施されることとなる。
【００１４】
また、本発明の海苔網活性処理装置は、海苔網が浮き流し方式によって海に展張されており、端部綱が枠綱からなることを特徴とする。
【００１５】
本発明によれば、浮き流し方式の海苔網に対して適正な海苔の活性処理を施すことができる。
【００１６】
また、本発明の海苔網活性処理装置は、海苔網が支柱方式によって海面に展張されており、前記端部綱は浮子綱からなることを特徴とする。
【００１７】
本発明によれば、支柱方式の海苔網に対して適正な海苔の活性処理を施すことができる。
【００１８】
また、本発明の海苔網活性処理装置は、海苔網が、下方に垂設された２本の脚部と、これら脚部を連結する長辺とからなるコ字形状の剛体状の枠体であって前記長辺を並列するように配置されている複数の枠体と、前記各脚部の端部に枠体の並列方向両側に配設されて前記枠体を起立させる浮子と、前記各長辺に挿通され、前記各枠体を回動自在に支持する回動部材と、前記各回動部材に連結され、前記各枠体を連結する連結手段と、前記長辺の少なくとも一端側の脚部に配設されている各浮子の枠体の並列方向における一端側にそれぞれ連結されて前記各枠体を連結する転倒用連結手段とを有する干出装置の、前記各枠体間に吊り綱をもって吊り下げることにより張設されているとともに、前記各枠体部分においては各枠体、吊り綱および海苔網とによって前記海苔網上方押え部材が通過できる口部が形成されていることを特徴とする。
【００１９】
本発明によれば、干出装置を用いて展張されている海苔網に対して適正な海苔の活性処理を施すことができる。
【発明の効果】
【００２０】
このように本発明の海苔網活性処理装置は構成され、作用するものであるから、海苔網を上から押えて活性処理液槽内の活性処理液中に浸漬させる海苔網上方押え部材を単独で活性処理液槽内に保持させることができるとともに、当該海苔網上方押え部材が船の進行に伴って後方に搬送される海苔網の先端部において下側から上面に乗り上げて海苔網を活性処理液内に浸漬させ、海苔網の後端部において海苔網の上面から下側に抜けて海苔網を通過させることができ、海苔の活性処理を確実に施すことができ、海苔の健康的な育成を図ることができ、コストも低廉とすることができる等の優れた効果を奏する。
【発明を実施するための最良の形態】
【００２１】
次に、本発明の海苔網活性処理装置の実施形態を図１から図 １８により説明する。
【００２２】
図１から図１０は本発明の海苔網活性処理装置の第１実施形態を示す。
【００２３】
第１実施形態の海苔網活性処理装置１は、図１に示すように、海苔作業船２に搭載して形成されており、図１から図１０においては浮き流し方式によって海面に展張されている海苔網１０１に対して活性処理を施す場合を示している。
【００２４】
海苔作業船２は長方形の箱船状に形成されており、後部（図１の左側）には、自走用のエンジン３が設置されており、甲板部分には、船首部（図１の右側）からエンジン３の直前部分に至る矩形の活性処理液槽４が形成されている。この活性処理液槽４内には、船上に持ち上げられて船首側から後方に向けて搬送される海苔網１０１を上から押えて活性処理液槽４内の活性処理液（図９および図１０参照）中に浸漬させる海苔網上方押え部材５が独立的に設置されている。
【００２５】
海苔網上方押え部材５は金属棒材若しくは金属パイプ材を組み合わせて溶接することによって形成されている。海苔網上方押え部材５は金属棒材を略Ｕ字状に折り曲げ形成し、Ｕ字の中心線を海苔作業船２の中心線と平行とし、最下部に配置されるベース部材５ａを有している。このベース部材５ａは、Ｕ字の頂部を船首側に配置し、後端の平行部分を船尾側に配置し、平行部分を幅方向に前後２本の連結部材５ｂ、５ｂによって連結して活性処理液槽４の底面上に載置される基底部５ｃとし、前記頂部を当該基底部から斜め上向きに傾斜させるとともに活性処理液槽４の前端縁より上方に伸びていて海苔網１０１の端縁部に乗り上げて海苔網１０１を活性処理液槽４内に導く導入部５ｄとしている。ベース部材５ａと連結部材５ｂとの前後方向には２本の補強部材５ｅ、５ｅが掛け渡されている。また、ベース部材５ａの平行部分と２本の下部補強部材５ｅ、５ｅのそれぞれの後端部からの立ち上がり部と、ベース部材５ａの導入部の後部部分とに亘る略コ字状の上部補強部材５ｆが設けられている。また、上部補強部材５ｆの平行部分の各辺とベース部材５ａの導入部の後部部分との間には、それぞれ位置規制部材５ｇが設けられている。この位置規制部材５ｇは活性処理液槽４の内面を外側に凹入させた凹部４ａに入り込むように外側に屈曲させられていて、海苔網上方押え部材５が海苔作業船２の前後方向に移動することを防止している。また、各位置規制部材５ｇの幅方向端部と上部補強部材５ｆのコ字形の幅方向の両端部は、活性処理液槽４の内面と衝突しながら海苔網上方押え部材５の中心線を海苔作業船２の中心線と平行に保持するものである。
【００２６】
海苔作業船２の船首部分には、海苔網を掬い上げるために船の前方海中まで伸びる略Ｕ字状の前方案内部材６が基端部を船首の両側部分にヒンジ６ａをもって回動自在に取付られて、掬い上げ位置（図９の実線位置参照）と収納位置（同図の鎖線位置参照）とを選択できるようにされている。
【００２７】
また、海苔作業船２の後部においては、海苔網１０１が円滑に通過できるように、エンジン３部分を後方案内部材７によって覆っている。
【００２８】
次に、本第１実施形態による海苔の活性処理方法を説明する。
【００２９】
図１から図１０に示す浮き流し方式においては、養殖場において、２本の端部綱となる２本の枠綱１０２が海苔網１０１の長さより長い間隔をもって平行に海面に張られている。細長い海苔網１０１は網の周囲を太い縁綱１０４によって囲まれて形成されている。２本の枠綱１０２の間に海苔網１０１より広い幅の間隔で多数の浮子綱１０３が張設され、各浮子綱１０３の間において海苔網１０１がその両端部を枠綱１０２に対向させて配置され、海苔網１０１の両端部の縁綱１０４の両端部角隅部をそれぞれ手綱１０５をもって枠綱１０２に接続して海面に展張されている。海苔網１０１の側端部を形成する縁綱１０４部分は所定間隔毎に吊り綱１０６をもって浮子綱１０３に接続されている。浮子綱１０３には長手方向の所定間隔毎に浮子１０３ａが取付されている。
【００３０】
このようにして形成されている浮き流し方式の海苔網１０１に対する活性処理は、次のようにして行われる。
【００３１】
まず、図５に示すように、前方案内部材６を海苔作業船２の船首より外に出した状態で船首を海苔網１０１に対面させる。
【００３２】
続いて海苔作業船２を進行させると、図６に示すように、前方案内部材６が枠綱１０２、手綱１０５、海苔網１０１の長手方向端部の縁綱１０４、海苔網１０１の順に船上に持ち上げるようにしながら海苔網１０１の下に潜って進行する。これにより海苔網１０１の長手方向端部の先端部側においては、船首部から後方に向けて持ち上げられて搬送されることとなる。
【００３３】
更に説明すると、前方案内部材６によって船上まで持ち上げられた枠綱１０２は海苔網上方押え部材５の導入部５ｄの上方を前方案内部材６および海苔作業船２の両舷側位置において下側から支持されながら案内されて通過する。
【００３４】
続いて、２本の手綱１０５、１０５および海苔網１０１の長手方向端部の端縁部となる縁綱１０４が海苔網上方押え部材５の導入部５ｄにさしかかる。このとき、端縁部となる縁網１０４は自重（若しくは添設した錘体（図示せず）の重量も含めた重量）によりを鉛直高さが海苔網上方押え部材５の導入部５ｄの先端部の頂部より低くなる。これにより海苔網上方押え部材５の導入部５ｄの先端部の頂部は既に通過した枠綱１０２、２本の手綱１０５、１０５および海苔網１０１の長手方向端部の端縁部となる縁綱１０４によって形成される矩形の先端部側入口８の下から上に越えるようして海苔網１０１の上面側に乗上げる。
【００３５】
その後、海苔作業船２の進行に伴って海苔網上方押え部材５の全体が先端部側入口８を通過して次第に海苔網１０１の上面に乗上げて行く。このとき枠綱１０２に対する２本の手綱１０５の取付位置の間隔Ｈ（図５参照）が海苔網上方押え部材５の平面透視図の幅Ｗ（図３、図５参照）より大きく、先端部側入口８を形成する枠綱１０２、２本の手綱１０５および海苔網１０１の縁綱１０４の合計長さによって形成し得る矩形の大きさが、海苔網上方押え部材５の正面透視の最大矩形の大きさより大きいので、海苔網上方押え部材５は当該先端部側入口８を余裕をもって通過して、全体が海苔網１０１の上面に乗り上がることとなる。なお、手綱１０５の長さを、長すぎず且つ短すぎない丁度よい長さにして、海苔網上方押え部材５の導入部５ｄが先端部側入口８部分に挿入された後に直ちに海苔網１０１の縁綱１０４に乗上げることができるように形成するとよい。不必要に長い手綱１０５が無くなり、海苔網上方押え部材５を確実に海苔網１０１に乗上げさせることができ、更に海苔網１０１の海面に対する展張効率を高くすることができる。これにより海苔網１０１は海苔網上方押え部材５の導入部５ｄの下側を通ることによって活性処理液槽４内の活性処理液内に導かれ、基底部５ｃによって更に活性処理液槽４内の底部に導かれる。
【００３６】
その後、海苔網１０１の先端縁部より後方側においては、図７に示すように、海苔作業船２の進行に伴って海苔網上方押え部材５の全体が海苔網１０１を上面側から押えて活性処理液槽内の活性処理液中に浸漬させて船尾側に搬送させる。この時、海苔網１０１と浮子綱１０３とを連結する吊り綱１０６は前方案内部材６および海苔作業船２の両舷側位置において下側から支持されながら案内されて通過する（図１０参照）。船尾側においては、海苔網上方押え部材５の基底部５ｄ部分を船尾側に通過した海苔網１０１が、続いて船尾部分の後方案内部材７によってエンジン３より上に持ち上げられるようにして活性処理液槽４内の活性処理液から取出され、船尾部分の後方の海面に戻される。
【００３７】
その後、海苔網１０１の搬送が進行し、海苔網１０１の後端部側に至ると、図８に示すように、海苔作業船２の船首部から後方に向けて順に持ち上げられて搬送される海苔網１０１の後端部の縁綱１０４、２本の手綱１０５および端部綱となる枠綱１０２からなる後端部側出口９を海苔網上方押え部材５が上から下に向けて通過して海苔網１０１外へ出る。その後、海苔網１０１の全体が海苔作業船２から出て船尾部分の後方の海面に戻される。
【００３８】
このように本第１実施形態によれば、活性処理液槽４内に独立的に設置されている海苔網上方押え部材５が、船上に持ち上げられて船首側から後方に向けて搬送される海苔網１０１の先端縁部を乗り越えて海苔網１０１の上面に乗上げ、船２の後方に向けて搬送される海苔網１０１を活性処理液内に浸漬させた後に、海苔網１０１の後端縁部を越えて海苔網１０１外へ出ることができるので、海苔網上方押え部材５を自重によって単独で活性処理液槽４内に保持させることができるとともに、海苔の活性処理を確実に施すことができるし、海苔の健康的な育成を図ることができ、コストも低廉なものとなる。
【００３９】
次に、図１１に示す本発明の第２実施形態を説明する。
【００４０】
本第２実施形態は、支柱を用いて海苔網を海面に展張している支柱方式について適用したものである。
【００４１】
支柱方式においては、水深の浅い海の海底に適宜な間隔をおいて海苔網１０１幅より大きな適宜な幅間隔で立設された複数の支柱１１、１１へ、たるみの大きい吊り綱１０６により縁綱１０４と締結することにより係止されている。海苔網１０１の長手方向に立設された支柱１１と支柱１１のほぼ中間位置の海苔網１０１の幅方向たる短手方向に、海苔網１０１に浮力を与え、さらに海苔網１０１の捻れを防止するために、軸方向に伸びるように形成された伸子棒１２が、その両端を縁綱１０４に係止されて海苔の養殖場に展張されて設置されている。
【００４２】
海苔網１０１の長手方向の端部においては、支柱１１に浮力のある浮動環１３を海面と一緒に上下動するように遊挿し、２つの浮動環１３の間を途中に浮子１０７ａを取付けた浮子綱１０７によって連結し、浮子綱１０７に対向している海苔網１０１の両端部の縁綱１０４の両端部角隅部をそれぞれ手綱１０５をもって浮子綱１０７に接続して海面に展張されている。
【００４３】
前記各支柱１１には、環状に形成された適宜な重さの海に没する沈降体１４が装着されている。この沈降体１４は、支柱１１に吊り綱１０６を係止した後に支柱１１へ遊嵌することにより配設されている。そして、沈降体１４により、海苔網１０１を支柱１１間に展張した際に、海苔網１０１を海苔網１０１の短手方向（幅方向）の両外側に位置する支柱１１の幅間隔の略中央に保持するようにしている。
【００４４】
なお、各吊り綱１０６の支柱側端部は、浮子綱１０７と同様に支柱１１に遊挿した浮動環１３に固着するようにしてもよい。
【００４５】
本実施形態においては、海苔網１０１の長手方向端部の先端部側入口および後端部出口が浮子綱１０７、２本の手綱１０５および海苔網１０１の端部の縁綱１０４によって矩形に形成されている。
【００４６】
これらの先端部側入口および後端部出口が前記第１実施形態と同様の寸法条件を備えることにより、海苔網上方押え部材５が通過することができ、前記第１実施形態と同様に、海苔の活性処理を確実に施すことができるし、海苔の健康的な育成を図ることができ、コストも低廉なものとなる。
【００４７】
また、海苔網１０１の端部を手綱１０５および浮子綱１０７を用いないで、吊り綱１０６を用いて支柱１１に連結する場合には、先端部側入口および後端部出口が形成されないので、海苔網上方押え部材５は海苔網１０１の長手方向端部の縁綱１０４を乗り越えるようにして海苔網１０１の上面に乗り上がることとなる。
【００４８】
次に、図１２から図１８に示す本発明の第３実施形態を説明する。
【００４９】
本第３実施形態は、海苔網の干出装置を用いて海苔網を海面に展張している浮き流し方式について適用したものである。
【００５０】
まず本第３実施形態に用いる海苔網の干出装置２１は、図１２から図１５に示すように、長辺２３と、この長辺２３の両端から下方に一体的に垂設された脚部２４，２４を有する複数のコ字形状の剛体状の枠体２２，２２．．．が平行に配置されている。
【００５１】
前記各枠体２２，２２．．．の長辺２３の各両端部にはそれぞれ浮子２６が配設されるとともに、各浮子２６の内側には筒状の軸受状の回動部材２７が長辺２３を挿通するようにしてそれぞれ配設されている。隣接する前記各枠体２２，２２．．．は、前記各回動部材２７においてそれぞれロープからなる連結手段２８により相互に連結されている。前記各連結手段２８は、前記各枠体２２，２２．．．の配列方向において各枠体２２，２２から延在して延在部２８ａ，２８ｂが設けられている。なお、前記各回動部材２７は１つの長尺な筒体等でもよい。
【００５２】
さらに、前記各脚部２４，２４の下端部は枠体２２の配列方向に突出するＴ字状に２股に形成されており、このＴ字部２５の両端部２５ａ，２５ｂにはそれぞれ枠体２２を浮力をもって海面上に起立させる浮子３１が配設されている。この浮子３１としては脚部２４から枠体２２の並列方向両側に配設されて枠体２２を起立させることができるものであればよく、図示している２個の浮子３１を連続させて１個の浮子として形成してもよい。枠体２２の長辺２３の同一側端部に備えられている各浮子３１の枠体２２の並列方向における一端側部分を１本のロープからなる転倒用連結手段２９ａ、２９ｂによって相互に連結している。長辺２３の反対側にある浮子３１に対する転倒用連結手段２９ａ、２９ｂの連結位置は、各浮子３１の枠体２２の並列方向に対する反対側の端部とされて、各枠体２２を反対方向に引き倒すことができるようにしている。一方の転倒用連結手段のみを設けてもよい。
【００５３】
そして、前記各枠体２２，２２．．．の長辺２３の中央には、隣接配置する各枠体２２，２２．．．間にわたって海苔網１０１が張設されいる。この海苔網１０１には、海苔網１０１の撓みを小さくするため一定の間隔毎に前記各枠体２２，２２．．．と平行に伸子棒１２が配設されている。
【００５４】
また、前記海苔網１０１は、前記各枠体２２，２２．．．の配列方向において一定の間隔毎に、吊り綱１０６によって前記各連結手段２８に吊設されている。 本第３実施形態においては、各枠体２２の長辺２３と各連結手段２８の連結位置と、海苔網１０１の縁綱１０４と吊り綱１０６とをもって連結しており、各連結手段２８の連結位置の間の長辺２３、２本の吊り綱１０６および海苔網１０１によって海苔網上方押え部材５が通過する貫通孔３０が形成される。各連結手段２８の連結位置の間隔Ｈ（図１２参照）が海苔網上方押え部材５の平面透視図の幅Ｗ（図３、図５参照）より大きく、貫通孔３０（図１３参照）を形成する長辺２３、２本の吊り綱１０６および海苔網１０１の幅の合計長さによって形成し得る矩形の大きさが、海苔網上方押え部材５の正面透視の最大矩形の大きさより大きいので、海苔網上方押え部材５は当該貫通孔３０を余裕をもって通過して、全体が海苔網１０１の上面に乗り上がることとなる。なお、吊り綱１０６の長さを、長すぎず且つ短すぎない丁度よい長さにして、海苔網上方押え部材５の導入部５ｄが貫通孔３０部分に挿入された後に直ちに海苔網１０１の縁綱１０４に乗上げることができるように形成するとよい。
【００５５】
本第３実施形態においては、海苔網の干出装置２１を用いて多数の海苔網１０１を海面に展張して形成される。更に、図１７に示す海苔作業船２ａをもって海苔網１０１の海面に対する干出と浸漬並びに海苔網１０１に対する活性処理を行ったり、図１８に示す海苔作業船２ｂによって、刈り取り機構３７により成長した海苔を刈り取ったり、海苔網活性処理装置１によって海苔網１０１に活性処理を施したり、海苔網１０１の海面に対する干出と浸漬とを行ったりされる。
【００５６】
一方の図１７に示す海苔作業船２ａは、船体３２の両側に前方の海中から船体３２上、そして船体３２の後方に延びる左右一対のガイド部材３３を載置している。ガイド部材３３の先端部は連結して略Ｕ字形に形成するとよい。このガイド部材３３は海中の枠体２２や海苔網１０１を掬い上げ、その後船首部分に搭載している海苔網活性処理装置１によって海苔網１０１に活性処理を施すとともに、枠体２２と海苔網１０１とを海苔作業船２ａの後方に移動させる。
【００５７】
他方の図１８に示す海苔作業船２ｂは、船体３２の後部にエンジン３５を設け、前後部にそれぞれ方向変換用のスラスタ３６ａ、３６ｂを設けている。更に、ガイド部材３３を前方ガイド部材３３ａと後方ガイド部材３３ｂとに分けている。一方の前方ガイド部材３３ａは図１８に示す前方突出位置と船上に引き込んだ収納位置を移動自在に形成されている。船上の前方には、海苔網１０１から成長した海苔を刈取る公知の刈り取り機構３７がガイド部材３３の下方に設置されている。この刈り取り機構３７によって刈取られた海苔は収納庫３８内に収納されるようになっている。刈り取り機構３７の後方には海苔網１０１に活性処理を施す本発明の海苔網活性処理装置１が配設されている。
【００５８】
次に、前述した構成からなる本第３実施形態の作用について説明する。
【００５９】
まず、海苔網の干出装置２１を用いた海苔の養殖システムにおいては、図１６に示すように、種付けされた海苔網１０１が海面に浸漬されている。
【００６０】
そして、海苔網１０１を干出させて海苔網１０１を乾燥させ、殺菌および藻を死滅させる。このときには、例えば図１７に示すように、海苔網の干出装置２１のいずれか一方向図１７においては左方から海苔作業船２ａを侵入させる。
【００６１】
そして、海苔作業船２ａを海苔網１０１の干出装置２１の枠体２２の下方に潜るように侵入させることにより、海苔作業船２ａのガイド部材３３の先端部により海苔網の干出装置２１の各枠体２２，２２．．．および海苔網１０１が海水中より掬い上げるようにして順次持ち上げられ、当該ガイド部材３３上を各枠体２２が長辺２３を上に脚部２４を下方に下げるようにして吊り下げながら後方に移動させられる。続いて、海苔作業船２ａが通過すると、海苔作業船２ａのガイド部材３３によって直立状態とされた各枠体２２，２２．．．が、各浮子３１，３１の浮力により直立状態のまま水面に着水して直立状態に起立させられていき、図１４に示すように、各海苔網１０１が海中から空中部分へ干出される。
【００６２】
各枠体２２が本発明の海苔網活性処理装置１の海苔網上方押え部材５にさしかかると、海苔網上方押え部材５は長辺２３、２本の吊り綱１０６および海苔網１０１によって形成されている貫通孔３０を通過して海苔網１０１の上面に乗上げて行く。この際、各枠体２２はガイド部材３３に下から支持されて船尾に向けて移動し、海苔網１０１と吊り綱１０６が海苔網上方押え部材５の下方を通過することとなる。これにより前記各実施形態と同様に、海苔の活性処理を確実に施すことができるし、海苔の健康的な育成を図ることができ、コストも低廉なものとなる。
【００６３】
次に、干出された海苔網１０１を浸漬させる場合には、各浮子３１を連結している２本の転倒用連結手段２９ａ、２９ｂのいずれか一方を、転倒用連結手段２９が浮子３１に連結されている部分を脚部２４の下端部に向かう方向に引っ張ることにより、各浮子３１が転倒用連結部材２９が連結されている部分が海水中に引き込まれるようにして各脚部２４の下端部を中心として回動して各枠体２２の全体が転倒されて、図１６に示すように、海苔網１０１を海水に浸漬させることができる。この転倒用連結手段２９を引っ張るのは、転倒用連結手段２９を海苔作業船２ａの船体３２に連結したり、あるいは船体上の人員が保持して引くとよい。このとき、各枠体２２，２２．．．の長辺２３に配設された各浮子２６の浮力により、海苔網１０１が海中深く沈下することを防止して、海苔網１０１を海中の表層域に位置するようになっている。なお、この浮子２６は省略することもできる。
【００６４】
海苔の育成を行なう場合には１枚の海苔網１０１を海苔網の干出装置２１に展張して行ない、海苔の育苗を行なう場合には複数枚の海苔網１０１を海苔網の干出装置２１に展張して行なうこととなる。
【００６５】
図１８に示す海苔作業船２ｂを用いた場合においては、海苔網１０１を干出させる場合には、前記と同様にして前方ガイド部材３３ａの先端部を海水中に挿入させた状態で海苔作業船２ｂを各枠体２２の下に潜行するようにして進行させることにより行なわれる。掬い上げられた海苔網１０１から刈り取り機構３７によって成長した海苔を刈取って収納庫３８に収納する。続いて、海苔が刈取られた海苔網１０１は、本発明の海苔網活性処理装置１において図１７の場合に説明した処理と同様のにして所定の活性処理を施される。その後、各枠体２２が浮子３１によって海面に起立させられる。本実施形態の海苔作業船２ｂを用いる場合には、海苔の刈り取りと海苔網１０１の活性処理とを単独で行なうようにしてもよい。
【００６６】
なお、海苔網上方押え部材５の海苔網１０１への乗り上げを容易にするために、ダミーの海苔網を海苔網１０１の長手方向の端部から長手方向に延長させて配置するとともに、当該ダミーの海苔網の端部を枠体２２の間の中間に止めるようにしても良い。
【００６７】
なお、本発明は、前述した実施の形態に限定されるものではなく、必要に応じて種々の変更が可能である。
【図面の簡単な説明】
【００６８】
【図１】本発明の海苔網活性処理装置の第１実施形態を示す斜視図
【図２】本発明の第１実施形態に用いる海苔網上方押え部材の斜視図
【図３】本発明の第１実施形態を搭載した海苔作業船の平面図
【図４】図３の船首部を切断した右側面図
【図５】本発明の第１実施形態による活性処理の初期状態を示す平面図
【図６】本発明の第１実施形態による活性処理の海苔網乗上げ初期状態を示す平面図
【図７】本発明の第１実施形態による活性処理の中間状態を示す平面図
【図８】本発明の第１実施形態による活性処理の最終状態を示す平面図
【図９】図７の９−９線に沿った断面図
【図１０】図７の１０−１０線に沿った断面図
【図１１】本発明の海苔網活性処理装置の第２実施形態を適用する支柱方式の海苔網の展張状態を示す斜視図
【図１２】本発明の第３実施形態を適用する海苔網の干出装置の実施形態を示す平面図
【図１３】図１２の左側面図
【図１４】図１２の正面図
【図１５】図１２に示す海苔網の干出装置の一部を示す斜視図
【図１６】図１２に示す海苔網の干出装置の浸漬状態を示す側面図
【図１７】図１２に示す海苔網の干出装置の干出方法を示す概略図
【図１８】海苔作業船の他の実施形態を示す側面図
【符号の説明】
【００６９】
２  船
４  活性処理液槽
５  海苔網上方押え部材
１０１  海苔網
【図１】
0005254595.tif 000002
【図２】
0005254595.tif 000003
【図３】
0005254595.tif 000004
【図４】
0005254595.tif 000005
【図５】
0005254595.tif 000006
【図６】
0005254595.tif 000007
【図７】
0005254595.tif 000008
【図８】
0005254595.tif 000009
【図９】
0005254595.tif 000010
【図１０】
0005254595.tif 000011
【図１１】
0005254595.tif 000012
【図１２】
0005254595.tif 000013
【図１３】
0005254595.tif 000014
【図１４】
0005254595.tif 000015
【図１５】
0005254595.tif 000016
【図１６】
0005254595.tif 000017
【図１７】
0005254595.tif 000018
【図１８】
0005254595.tif 000019